(57)【特許請求の範囲】
【請求項１】
プラスチックパレットであって、支持座体と、複数のデッキボードを含み、
前記支持座体が、第１方向に沿って配列された複数の第１ベース座体と、第２方向に沿って配列された複数の第２ベース座体を含み、
各前記第１ベース座体が第１ベース座体本体、複数の第１開口挟持部、複数の第１アーチ部を含み、前記第１開口挟持部が前記第１ベース座体本体の長辺上に位置し、前記第１アーチ部が前記第１ベース座体本体の他方の長辺上に位置し、かつ間を隔てて前記第１開口挟持部の間に配列され、
各前記第２ベース座体が第２ベース座体本体、複数の第２開口挟持部、複数の第２アーチ部を含み、前記第２開口挟持部が前記第２ベース座体本体の長辺上に位置し、前記第２アーチ部が前記第２ベース座体本体の前記長辺上に位置し、かつ間を隔てて前記第２開口挟持部の間に配列され、前記第２開口挟持部が前記第１開口挟持部に係合されて前記第２ベース座体と前記第１ベース座体が結合され、
前記複数のデッキボードが前記第１ベース座体上に嵌合され、かつ前記第２方向に沿って前記第２ベース座体の間に配列され、前記デッキボードの前記第２方向上の幅が前記第２ベース座体の幅より大きく、各前記デッキボードが結合部を含み、前記結合部が前記第１ベース座体本体を支持して前記デッキボードの前記第１方向における移動を規制し、前記デッキボードに物品を積載したとき、フォークリフトのフォークを前記第２ベース座体内に挿入することで、前記フォークリフトのフォークが前記第２アーチ部を支持して前記デッキボードに接触せずに物品を持ち上げることが可能であることを特徴とする、プラスチックパレット。
【請求項２】
前記デッキボードの第３方向上の厚さが前記第２アーチ部の厚さより小さく、前記第３方向が前記第１方向と前記第２方向に垂直であることを特徴とする、請求項１に記載のプラスチックパレット。
【請求項３】
前記第１ベース座体本体が複数の嵌合槽を含み、前記嵌合槽が前記デッキボードを嵌合するために用いられることを特徴とする、請求項１に記載のプラスチックパレット。
【請求項４】
前記結合部が凸縁部で前記嵌合槽の凹部に嵌合され、前記デッキボードの前記第１方向への移動を規制することを特徴とする、請求項３に記載のプラスチックパレット。
【請求項５】
前記結合部が凹部で前記嵌合槽の凸部を支持し、前記デッキボードの前記第１方向への移動を規制することを特徴とする、請求項３に記載のプラスチックパレット。
【請求項６】
前記第１ベース座体が立体網状構造を備え、前記立体網状構造がＸ字形、Ｅ字形、Ｙ字形、Ｍ字形、矩形、またはそれらの組み合わせの群で構成した構造を含み、重圧に耐え得る鉄骨構造式の機構体を形成するために用いられ、前記嵌合槽が前記立体網状構造に合わせて形成され、かつ前記結合部の形状が各前記嵌合槽に合致することを特徴とする、請求項３に記載のプラスチックパレット。
【請求項７】
前記結合部が係合構造部を含み、かつ前記係合構造部が前記第１ベース座体本体に対応して設置され、前記第１ベース座体本体と前記結合部の前記係合構造部が相互に対応する上下のスナップ、円形ボタンまたはフックであることを特徴とする、請求項１に記載のプラスチックパレット。
【請求項８】
各前記第１開口挟持部が、
前記第１ベース座体を貫通する第１梁棒を収容するために用いられる第１収容空間と、
前記第２開口挟持部に嵌入される第２梁棒を収容するために用いられる第２収容空間と、
第１切開線及び保持部材を含む第１滑入槽と、
を含むことを特徴とする、請求項１に記載のプラスチックパレット。
【請求項９】
各前記第２開口挟持部が、
前記第１開口挟持部に嵌入された前記第１梁棒を収容するために用いられる第３収容空間と、
前記第２ベース座体を貫通する前記第２梁棒を収容するために用いられる第四収容空間と、
第２切開線及び係合部材を含む第２滑入槽と、
を含み、前記第２開口挟持部が前記第１開口挟持部に係止されて前記保持部材が前記係合部材と係合され、そのうち前記第１切開線が前記第２切開線とほぼ重なり合い、前記第１滑入槽と第２滑入槽の結合後の間隙により各前記ベース座体に前記開口挟持部において弾性を持たせ、圧力を解消することを特徴とする、請求項８に記載のプラスチックパレット。
【請求項１０】
前記第１ベース座体の前記第１梁棒を第１平面とし、前記第２ベース座体の前記第２梁棒を前記第１平面に平行な第２平面とし、前記第１ベース座体及び第２ベース座体を相互に結合したことを特徴とする、請求項９に記載のプラスチックパレット。
【発明の詳細な説明】
【技術分野】
【０００１】
本発明はパレットに関し、特に、軽重両用の局部交換型プラスチックパレットに関する。
【背景技術】
【０００２】
パレットは一般に貨物輸送において非常によく見受けられる補助用具であり、一般的な従来のパレットは、ほとんどが複数の木片または木板を相互に交差させ、釘で固定して組み立て、平らな台のような座体を形成し、その上部が貨物を置くために供されるデッキ面であり、デッキ面の下方に足桁が設置され、デッキ面の高さを嵩上げし、貯蔵する貨物が地面に近すぎて湿気を受けることがないようにしたり、或いは地面上でほかの汚染物質によって汚損したりすることがないように使用される。
【０００３】
現在の市場におけるパレットの態様はほとんどが木製パレット、紙製パレット、プラスチックパレット、鉄合金パレットのいずれかに分類される。最も広く使用されているのは木製パレットであり、その全体構造がすべて木製で組み立てられているため、大量に樹木を伐採しなければ一定数量の木製パレットを作ることができない。しかしながら、大量に樹木を伐採すると、地球の緑林が急速に消失してしまうほか、環境保護意識が日増しに高まっている現在の国際的潮流とも相容れない。さらに、木製パレットは全体が固定化されており、一箇所に損傷があると損傷がある箇所を新しく交換するというだけでなく、木製パレット全体を廃棄処理しなければならなくなることさえある。組み立てが完了した木製パレットは規格も固定化されており、収納時に折りたたんで収納することもできないため、空間を有効利用できない。
【０００４】
紙パレット、プラスチックパレット、鉄合金パレット等のその他異なる態様のパレットは、構造の違いにより、その積載可能な荷重にも当然限度があるが、一般にパレットを運用して積載する貨物はほとんどが相当の重量を有しているため、一部が損壊すると全体を廃棄処理しなければならず、大量の資源を消耗することになる。したがって、局部的に交換して機能を回復することができれば、自然資源を大幅に節約することができる。
【０００５】
さらに、現在の組み立て式パレットは組み立てを強固にするとともに重圧に耐え得るようにするため、合板、ロック部材または（および）螺合部材（ねじなど）を採用して組み立てた状態を固定したり、組み立て式パレットに複数の支持板を結合させてフォークリフトのフォークでこれらの支持板を支えて組み立て式パレットの荷重を平均化したりしている。しかしながら、この組み立て式パレットはコスト高を招いており、天然資源の節約もできていない。
【０００６】
このため、いかにパレットの構造を改良し、使用上のメリットと利便性を増進すると同時に、良好な積載能力を具備させるかが、本案の発明者及び当業者が改善を望む課題である。
【発明の概要】
【発明が解決しようとする課題】
【０００７】
これに鑑みて、本発明の目的は、プラスチックパレットを提供することにある。
【課題を解決するための手段】
【０００８】
本発明のプラスチックパレットは、支持座体と複数のデッキボードを含み、支持座体が第１方向に沿って配列された複数の第１ベース座体と、第２方向に沿って配列された複数の第２ベース座体を含み、かつ各第１ベース座体が第１ペース座体本体と複数の第１開口挟持部及び複数の第１アーチ部を備えることができ、前記第１開口挟持部は第１ベース座体本体の長辺上に位置し、前記第１アーチ部は第１ベース座体本体の他方の長辺上に位置し、かつ前記第１開口挟持部の間に間を隔てて配列され、各第２ベース座体が、第２ベース座体本体と、複数の第２開口挟持部及び複数の第２アーチ部を備えることができ、前記第２開口挟持部は第２ベース座体本体の長辺上に位置し、前記第２アーチ部は第２ベース座体本体の同一の長辺上に位置し、かつ前記第２開口挟持部の間に間を隔てて配列され、前記第２開口挟持部が前記第１開口挟持部に係合されて前記第２ベース座体と前記第１ベース座体が結合される。
【０００９】
デッキボードが第１ベース座体上に嵌合され、第２方向に沿って前記第２ベース座体の間に配列され、デッキボードの第２方向上の幅が第２ベース座体の幅より大きく、各デッキボードが結合部を備えることができ、結合部が第１ベース座体本体を支持してデッキボードの第１方向の移動を規制する。
【００１０】
本発明の提供するプラスチックパレットは、デッキボードに物品を積載し、フォークリフトのフォークを前記第２ベース座体内に挿入して物品を持ち上げるとき、フォークリフトのフォークが前記第２アーチ部を支持してデッキボードに接触せず、かつデッキボードが第１ベース座体上に嵌合されており、かつデッキボードの第２方向上の幅が第２ベース座体の幅より大きいため、物品をデッキボード上に置いたときの圧力が各第１ベース座体に分散され、フォークリフトのフォークで第２ベース座体に平均的に力がかかり、第１ベース座体にかかる荷重が平均されて支持される。かつ、第１ベース座体及び第２ベース座体の開口夾持部（第１開口夾持部と第２開口夾持部）は弾性を備えており、圧力を解消できるため、本発明のプラスチックパレットは緩んだり重圧を受けて破損したりしにくい。
【発明の効果】
【００１１】
本発明の提供するプラスチックパレットは、従来の技術でパレットの耐荷重性を高め、パレットの断裂または係合部材箇所の損壊を減少し、且つ一部が損壊したときに迅速に局部のみを交換でき、資源の無駄を減らして、環境保護と省エネ、廃棄物減少の趣旨をより満たすという目的を達することができる。
【００１２】
以下の発明を実施するための形態で、本発明の詳細な特徴及び利点を詳細に説明する。その内容は当業者が本発明の技術内容を理解してこれに基づき実施するに足るものであり、且つ本明細書で開示する内容、特許請求の範囲、図面によれば、あらゆる当業者が本発明の関連の目的及び利点を軽易に理解できるであろう。
【図面の簡単な説明】
【００１３】
【図１】本発明のプラスチックパレット全体の立体外観図である。
【図２】本発明のプラスチックパレットの立体分解図である。
【図３】本発明の水平方向のベース座体と垂直方向のベース座体の立体分解図である。
【図４】本発明の水平方向のベース座体とデッキボードの立体分解図である。
【図５】本発明の水平方向のベース座体、垂直方向のベース座体とデッキボードの分解断面図である。
【図６】本発明の水平方向のベース座体、垂直方向のベース座体とデッキボードの組み立て断面図である。
【発明を実施するための形態】
【００１４】
以下図面を参照しながら本発明の実施の形態について説明する。
【実施例１】
【００１５】
図１と図２に本発明の実施例１を示す。本発明のプラスチックパレットの全体外観構造は、水平方向ベース座体（以下第１ベース座体１０ａという）と垂直方向ベース座体（以下第２ベース座体１０ｂという）に相互に結合された複数のベース座体を含む。そのうち、各ベース座体はベース部１１、延伸部１７、アーチ部、第１支持部１６、第２支持部１６ａを含んで構成される。
【００１６】
図２に本発明のプラスチックパレットの立体分解図を示す。本発明のプラスチックパレットは支持座体とデッキボード３０を含む。支持座体は複数の第１ベース座体１０ａと複数の第２ベース座体１０ｂを含む。第１ベース座体１０ａは第１方向に沿って配列され、ここで、第１方向はＸ軸方向とすることができる。各第１ベース座体１０ａは第１ベース座体本体、複数の第１開口挟持部１３１、第１アーチ部１８１を含む。第１開口挟持部１３１は第１ベース座体本体の長辺１０１上に位置し、第１アーチ部１８１は第１ベース座体本体の他方の長辺１０２上に位置し、かつ第１開口挟持部１３１の間に間を隔てて配列される。複数の第２ベース座体１０ｂが第２方向に沿って配列され、ここで第１方向はＹ軸方向とすることができる。各第２ベース座体１０ｂは第２ベース座体本体、複数の第２開口挟持部１３２、第２アーチ部１８２を含む。第２開口挟持部１３２は第２ベース座体本体の長辺１０３上に位置し、第２アーチ部１８２は第２ベース座体本体のこの長辺１０３上に位置し、かつ第２開口挟持部１３２の間に間を隔てて配列される。かつ、第２開口挟持部１３２が第１開口挟持部１３１に係合されて第２ベース座体１０ｂと第１ベース座体１０ａが結合される。デッキボード３０が第１ベース座体１０ａ上に嵌合され、かつ第２方向に沿って第２ベース座体１０ｂの間に配列され、デッキボード３０は第２方向上の幅Ｗ１が第２ベース座体１０ｂの幅Ｗ２より大きく、各デッキボード３０は結合部３０１を含み、結合部３０１が第１ベース座体本体を支持してデッキボード３０の第１方向における移動を規制する。そのうち、デッキボード３０に物品を積載したとき、フォークリフトのフォークが第２ベース座体１０ｂ内に挿入され、フォークリフトのフォークが第２アーチ部１８２を支持し、デッキボードに接触することなく物品を持ち上げることができる。
【００１７】
そのうち、デッキボード３０は第３方向上の厚さＴ１が第２アーチ部１８２の厚さＴ２より小さく、かつ第３方向は第１方向と第２方向に垂直である。ここで、第３方向はＺ軸方向とすることができる。このため、デッキボード３０を第１ベース座体１０ａ上に嵌設するとき、デッキボード３０の板面（物品を置く表面）が第１ベース座体１０ａ及び第２ベース座体１０ｂの上部と同一平面となる。しかしながら、本発明はこれに限定されず、デッキボード３０の板面は第１ベース座体１０ａ及び第２ベース座体１０ｂの上部よりやや高く、またはやや低くしてもよい。
【００１８】
第１ベース座体１０ａ及び第２ベース座体１０ｂは概ね細長い方形の片体構造を成し、ＰＥまたはＰＰ、プラスチック合成材質から製造されることを最良とする。そのうち第１ベース座体１０ａ及び第２ベース座体１０ｂはいずれもベース部１１を備え、第１ベース座体１０ａのベース部１１は間隔をあけて排列された複数の開口である、第１開口挟持部１３１を備えており、第２ベース座体１０ｂは間隔をあけて排列された複数の開口である、第２開口挟持部１３２を備えている。本実施例において、第１開口挟持部１３１及び第２開口挟持部１３２の数量は３つ設置することを最良とするが、本発明はこれに限定されず、第１開口挟持部１３１及び第２開口挟持部１３２の数量は使用者の必要に応じて増減することができる。
【００１９】
また、本実施例において、ベース部１１に内側に向かってアーチ状に狭くなったアーチ部が設けられ、すなわち、第１ベース座体１０ａの第１アーチ部１８１と、第２ベース座体１０ｂの第２アーチ部１８２が延伸部１７の間に形成される。これはフォークリフトのフォークを水平方向または垂直方向に本プラスチックパレットに便利に進入させることができるようにするためである。また２つのベース座体の交差される点が自然に十字を形成するため、強固な荷重を担う基礎が提供される。
【００２０】
また、本実施例において、第１支持部１６と第２支持部１６ａはそれぞれ網状の構造体を形成し、Ｘ、Ｙ、ヨ、口、Ｍ字形、矩形、及びその組み合わせから構成される群の構造方式で重圧を担うことができる鉄骨構造式機構体を形成し、ベース座体の各セクションを連結して上、下、左、右等の立体支持群が形成される。本発明のプラスチックパレットは軽く、耐荷重性があり、かつ自由に組み立てと分解ができるため、軽易に損壊したベース座体を取り外して交換し、本来の機能を維持でき、パレット全体を廃棄する必要がなく、節約と廃棄物減少という環境保護機能を提供する。
【００２１】
また、本実施例においては水平ベース座体と垂直ベース座体の間の空間を縮小し、積載物の体積が小さいとき空隙中に落下することがないようにするため、デッキボード３０を設置してもよい。ここで、デッキボード３０は嵌入式プラスチックデッキボードとしてもよいが本発明はこれに限定されず、デッキボードの材質は実際の状況に応じて調整することができる。このプラスチックデッキボードは中空でプラスチック押出成型から成る網状連結の方式、またはプラスチックデッキボードは網状の片体を弓状に延伸して第１ベース座体１０ａと連結することができ、プラスチックデッキボードの耐圧性がより強化される。
【００２２】
本実施例において、第１ベース座体１０ａのベース部１１はデッキボード３０を位置決めするための複数の嵌合槽４０を備え、デッキボード３０が第１ベース座体１０ａ上にしっかりと固定される。
【００２３】
一部の実施態様において、嵌合槽４０は第１ベース座体１０ａの立体網状構造に合わせて形成され、かつ結合部３０１の形状も各嵌合槽４０に合わせることで、デッキボード３０の結合部３０１が凸縁部３０１１で嵌合槽４０の凹部４０１に嵌合され、デッキボード３０の第１方向における移動が規制される。しかしながら、本発明はこれに限定されず、上述から連想し、デッキボード３０の結合部３０１は凹部で嵌合槽４０の凸部を支持してデッキボード３０の第１方向における移動を規制してもよい。
【００２４】
本実施例において、第１ベース座体１０ａと第２ベース座体１０ｂの設置数は、パレットが必要とする耐荷重性によって決定でき、たとえば４つのベース座体（第１ベース座体１０ａと第２ベース座体１０ｂ各２つ）、６つのベース座体（第１ベース座体１０ａと第２ベース座体１０ｂ各３つ）または８つのベース座体（第１ベース座体１０ａと第２ベース座体１０ｂ各４つ）の組み合わせで構成することができ、かつデッキボード３０を組み合わせて各ベース座体１０ａ／１０ｂ上に配置する。前述のベース座体１０ａ／１０ｂの数量は単に例を挙げたのみであり、本発明はこれに限定されない。
【００２５】
例えば、第１ベース座体１０ａ及び第２ベース座体１０ｂの数量は２つとし、かつ各第１ベース座体１０ａの第１開口挟持部１３１及び各第２ベース座体１０ｂの第２開口挟持部１３２の数量は２つ、及びデッキボード３０の数量は１つとしてもよく、このとき、デッキボード３０の幅Ｗ１及び嵌合槽４０の幅は第１ベース座体本体よりやや小さくし、すなわち、第１ベース座体１０ａ及び第２ベース座体１０ｂで囲まれる区域中にデッキボード３０を置いて物品を積載することができる。このため、第１ベース座体１０ａ及び第２ベース座体１０ｂの数量、各ベース座体１０ａ／１０ｂの開口挟持部１３１／１３２の数量、嵌合槽４０の幅及び数量、デッキボード３０の幅及び数量はその組み立て方式に合わせて実際の状況に応じて調整することができる。
【００２６】
そのうち、第１開口挟持部１３１及び第２開口挟持部１３２の形状は第１ベース座体１０ａと第２ベース座体１０ｂを相互に開口対開口で噛み合わせるという目的を達するに足るものとし、その外観は略矩形であり、その内部に開口が設けられ、開口対開口の矩形で相互を挟持できる。
【００２７】
一部の実施態様において、第１開口挟持部１３１内に第１滑入槽１３ａを設け、第２開口挟持部１３２内に第２滑入槽１３ｂを設け、第２開口挟持部１３２の第２滑入槽１３ｂを第１滑入槽１３ａに滑入させて第１ベース座体１０ａと第２ベース座体１０ｂを相互に連結することができる。
【００２８】
そのうち、第１滑入槽１３ａまたは第２滑入槽１３ｂは三角形スライド槽を含むが、本発明はこれに限定されない。
【００２９】
図５と図６に示すように、結合を強化し、結合後より丈夫にするために、さらに第１滑入槽１３ａ内に第１切開線１５１を設けてもよく、且つ第１切開線１５１の後端にあらかじめ保持部材１４１を設け、そのうち保持部材１４１は円形のツメ（円形保持部材）を最良とし、また第２滑入槽１３ｂ内に第２切開線１５２を設けてもよく、且つ第２切開線１５２の後端にあらかじめ係合部材１４２を設け、そのうち係合部材１４２は多辺形を最良とする。目的は２つのベース座体（第１ベース座体１０ａと第２ベース座体１０ｂ）の結合時、滑入槽に沿って円滑に滑入させた後、保持部材１４１と係合部材１４２を設けているため、自動的に係止され、ベース座体の結合が丈夫になり、また第１滑入槽１３ａにあらかじめ切開線１５１を設けており、第２滑入槽１３ｂにあらかじめ切開線１５２を設けているため、ベース座体が間隙Ｄと弾性を備えていることで、後に２つの異なる向きのベース座体を分離して分解が簡単にできるようになり、損壊部位の交換と複数回の組み立てを実現するという目的を達することができる。
【００３０】
つまり、第１開口挟持部１３１と第２開口挟持部１３２を結合すると、第１ベース座体１０ａの第１切開線１５１が第２ベース座体１０ｂの第２切開線１５２とほぼ重なり合い、且つ第１滑入槽１３ａと第２滑入槽１３ｂを結合した後も間隙Ｄがあり、各ベース座体（第１ベース座体１０ａと第２ベース座体１０ｂ）に開口挟持部（第１開口挟持部１３１／第２開口挟持部１３２）において弾性を持たせ、圧力を解消するため、プラスチックパレットのデッキボードに物品を積載して持ち上げたとき、支持座体が受ける力を均一にして第１ベース座体１０ａと第２ベース座体１０ｂが緩みにくくすることができ、且つ支持座体を取り外す必要があるときは、開口挟持部が具備する弾性により使用者が施力しても各ベース座体を破損することがなく、便利である。
【実施例２】
【００３１】
図３に本発明の実施例２の梁棒１２を備えた分解可能なプラスチックパレットを示す。プラスチックパレットの耐荷重性を高めるために、本発明は特に梁棒１２を備えた構造を提示するものであり、組み立てと分解が可能なプラスチックパレットであって、梁棒１２は概ね細長い円柱状であり、鉄やアルミ合金などの金属材質から製造することを最良とするが、本発明はこれに限定されない。その設置方法は、まずプラスチックから構造の必要性に応じて水平方向及び垂直方向のベース座体を成型する。水平方向ベース座体（第１ベース座体１０ａ）は、ベース部１１、複数の開口挟持部１３１、複数の延伸部１７、複数の第１アーチ部１８１により第１ベース座体１０ａの主要部位が構成され、且つプラスチック押出で成る片体は、建築において鋼梁を相互に連結する鉄骨構造式の方式を採用し、網状構造の片体を支持として用いて各前記主要部位が連結され、上層、即ちベース部１１の区域は第１支持部１６と呼び、下層、即ち延伸部１７の区域は第２支持部１６ａと呼ぶ。
【００３２】
垂直方向のベース座体（第２ベース座体１０ｂ）も、ベース部１１、複数の開口挟持部１３２、複数の延伸部１７、複数のアーチ部１８２から第２ベース座体１０ｂの主要部位が構成され、その開口挟持部１３２の開口が下向きであるため、垂直方向のベース座体と定義する。各主要部位もプラスチック押出成型の片体により、建築において鋼梁を相互に連結する鉄骨構造式の方式で、プラスチック押出で、網状構造の片体を形成し、各部材を連結する基礎として、ベース座体の支持部が形成される。
【００３３】
さらに梁棒１２をあらかじめ用意する。本発明の各ベース座体１０ａ／１０ｂの相互結合後の耐荷重性を強化且つ高めるために、特に梁棒１２の構造を追加しており、即ち、各ベース座体１０ａ／１０ｂの開口挟持部１３１／１３２の設定箇所に梁棒１２を追加設置し、ベース座体１０ａ／１０ｂを水平及び垂直に相互に結合した後、梁棒１２が十字に交差された（以下第１梁棒１２１と第２梁棒１２２で詳細に説明する）プラスチックパレットが形成され、このため本発明のパレットの耐荷重性と耐圧性が高められる。
【００３４】
詳細に説明すると、図５及び図６に示すように、第１開口挟持部１３１は第１収容空間２０１を備え、第１収容空間２０１は第１ベース座体１０ａを貫通する第１梁棒１２１を収容するために用いられ、第１開口挟持部１３１は第２収容空間２０２を備え、第２収容空間２０２は第２開口挟持部１３２から嵌入される第２梁棒１２２を収容するために用いられる。且つ、第２開口挟持部１３２は第３収容空間２０３を備え、第３収容空間２０３は第１開口挟持部１３１から嵌入された第１梁棒１２１を収容するために用いられる。さらに第２開口挟持部１３２は第４収容空間２０１を備え、第４収容空間２０１は第２ベース座体１０ｂを貫通する第２梁棒１２２を収容するために用いられる。そのうち、第１ベース座体１０ａの第１梁棒１２１を第１平面とし、第２ベース座体１０ｂの第２梁棒１２２を第１平面と平行な第２平面とし、第１ベース座体１０ａ及び第２ベース座体１０ｂを相互に結合し、大きい負荷に耐える基礎を増強するために用いられる
【００３５】
梁棒１２を設置する方法は、一体成型法を含み、水平方向のベース座体（第１ベース座体１０ａ）、垂直方向のベース座体（第２ベース座体１０ｂ）中に、各主要部位を連結する片体(即ち、第１支持部１６と第２支持部１６ａ)を設置するとき、あらかじめ梁棒１２を用意しておき、梁棒１２とその連結される第１支持部１６の片体間の連結方式は、梁棒１２を中心としてＸ、Ｙ、＜、＞、Ｈ字形等の構造の連結体を形成する方式で、プラスチック押出成型後、即ち一体成型で、梁棒１２を備えた水平方向または垂直方向の組み立てと分解が可能なベース座体１０ａ／１０ｂとなり、荷重の圧力に耐えることができる鉄骨構造式の機構体を形成するために用いられる。
【００３６】
さらに、設置方法はあらかじめ空間を残しておく方法を含む。水平方向と垂直方向のベース座体１０ａ／１０ｂの各部位は第１支持部１６の片体の連接時、金属材を配置するための収容空間２０１〜２０４をあらかじめ測定して位置決めしておき(図３、図５、図６参照)、ベース座体１０ａ／１０ｂの全体を成型した後に設置する位置も完成させる。このとき、必要に応じて外部から必要な直径の大きさの金属棒体を入れてもよく、それにより事前にあらかじめ位置を留めておくため、ロック部も形成することができ(図示しない)、棒体を入れて水平方向ベース座体と垂直方向ベース座体の連結固定後に固定し、梁棒１２を取り出したいときは、ロック部を開いて取り出すことができる。
【００３７】
梁棒１２を備えた水平方向のベース座体１０ａと垂直方向のベース座体１０ｂは、双方が各開口挟持部１３１／１３２の相対するインターフェイスで、図３に示すように、複数のベース座体１０ａ／１０ｂが相互に連結され、１つの独立したパレットが構成される(図１参照)。本発明はさらに、デッキボード３０でベース座体とベース座体間の空隙を縮小することを提出する。
【００３８】
図４に示すように、一部の実施態様において、デッキボード３０と第１ベース座体１０ａの連結箇所にあらかじめ係合構造部３１を設け、デッキボード３０を迅速且つ便利に第１ベース座体１０ａに組み込み、デッキボード３０を固定できるようにしてもよい。あるいは、各嵌合槽４０の結合部材４１に各デッキボード３０を結合させる（図５参照）。
【００３９】
そのうち、デッキボード３０は、プラスチック網状構造を相互に連結して成るプラスチックデッキボードであってもよい。
【００４０】
第１ベース座体１０ａとデッキボード３０の連結箇所にあらかじめ連結のための係合構造部３１を設けてもよく、デッキボード３０を第１ベース座体１０ａに組み込んだ後自動的にデッキボード３０を第１ベース座体１０ａに係止して固定するために用いられ、そのうち、係合構造部３１は上下のスナップ、重ねボタン（ｓｔａｃｋｅｄ  ｂｕｔｔｏｎｓ）、円形ボタンまたはフックとすると最良である。分解時は、スナップを開くか、あるいは加圧または（及び）横移動方式で緩めて、これら係合箇所を解除し、デッキボード３０を取り外すことができる。
【００４１】
本発明は水平のベース座体１０ａと垂直のベース座体１０ｂが梁棒１２を備え、ベース座体１０ａ／１０ｂを相互に開口挟持部１３１／１３２で結合すると、梁棒１２の設置によって水平のベース座体１０ａと垂直のベース座体１０ｂの構造強度が高まる。且つ、水平ベース座体１０ａと垂直ベース座体１０ｂによる座体の中空状空間が相互に交差する支持部を形成し、これも水平方向と垂直方向の強度をより一層高め、トルクと対角せん断力が増加し、従来のパレットが動態荷重に耐えられず、パレットの断裂や組み立て時に結合された係合部材箇所の損壊を招く問題を解決することができる。
【００４２】
本発明は水平方向ベース座体１０ａが梁棒１２及び開口挟持部１３１を備え、垂直方向ベース座体１０ｂが梁棒１２及び開口挟持部１３２を備え、これらにより垂直の交差結合を形成し、圧力が加わったときのパレットのトルクとせん断力を高めているが、軽量の輸送時は、高重量の動態負荷がないため、各ベース座体の梁棒構造をなくしてもよい。但し、各座体の開口挟持部は保持し、６部材や８部材の組み合わせとせずに４部材とデッキボードの組み合わせを採用し、井の字の方式で交差させて相互に組み立てて形成することで、材料を節約し、柔軟に組み合わせるという目的を達することができる。
【００４３】
本発明の提供するプラスチックパレットは、フォークリフトのフォークをこれらの第２ベース座体１０ｂ内に挿入して物品を持ち上げるとき、フォークリフトのフォークがこれら第２アーチ部１８２を支持してデッキボード３０に接触せず、かつデッキボード３０が第１ベース座体１０ａ上に嵌合されており、デッキボード３０の第２方向上の幅Ｗ１が第２ベース座体１０ｂの幅Ｗ２より大きいため、物品をデッキボード３０上に置いたときの圧力が各第１ベース座体１０ａに分散され、それによりフォークリフトのフォークが均一に第２ベース座体１０ｂにかける力で第１ベース座体１０ａに均一にかかる荷重を支持する。かつ、第１ベース座体１０ａと第２ベース座体１０ｂの開口挟持部（第１開口挟持部１３１／第２開口挟持部１３２）が弾性を備えているため圧力を解消でき、本発明のプラスチックパレットは緩みにくく、重圧を受けて破損しにくい。
【００４４】
そのうち、デッキボード３０は結合部３０１が嵌合槽４０に嵌合されて移動が規制され、かつデッキボード３０が受ける荷重で第１ベース座体１０ａ上に押し付けられるため、デッキボード３０と第１ベース座体１０ａの間を螺合固定する必要がなく、コストを削減することができる。
【００４５】
本発明の提供するプラスチックパレットはさらに、使用状況に応じて柔軟に組み合わせるという用途も提供し、損壊が起こったとき、その損壊したベース座体または損壊したデッキボードだけを個別に交換することができ、組み立て式であるため軽易に交換が可能であり、本来の機能に影響せず、耐用性と持久性を高めることができ、従来のプラスチックパレットにおいて損壊が生じるとパレット全体を廃棄しなければならない状況とは異なり、材料の節約と廃棄物減少という環境保護のニーズを満たすことができる。
【００４６】
本発明の技術内容について最良の実施例を上述のように開示したが、それは本発明を限定するものではなく、当業者による本発明の要旨を逸脱しない若干の変更や修飾はすべて本発明の範疇に含まれるため、本発明の保護範囲は後付の特許請求の範囲に準じる。
【符号の説明】
【００４７】
１０ａ    第１ベース座体
１０ｂ    第２ベース座体
１０１    長辺
１０２    長辺
１０３    長辺
１１      ベース部
１２      梁棒
１２１    第１梁棒
１２２    第２梁棒
１３１    第１開口挟持部
１３２    第２開口挟持部
１３ａ    第１滑入槽
１３ｂ    第２滑入槽
１４１    保持部材  
１４２    係合部材
１５１    第１切開線
１５２    第２切開線
１６      第１支持部
１６ａ    第２支持部
１７      延伸部
１８１    第１アーチ部
１８２    第２アーチ部
２０１、２０２、２０３、２０４    収容空間
３０      デッキボード
３０１    結合部
３０１１  凸縁部
３１      係合構造部
４０      嵌合槽
４０１    凹部
４１      結合部材
Ｗ１、Ｗ２    幅
Ｔ１、Ｔ２    厚さ
Ｄ        間隙
【図１】
0005706475.tif 000002
【図２】
0005706475.tif 000003
【図３】
0005706475.tif 000004
【図４】
0005706475.tif 000005
【図５】
0005706475.tif 000006
【図６】
0005706475.tif 000007